(57)【要約】【課題】各加熱部との関連において火力状態の視認性を向上させた誘導加熱調理器を提供することを目的とする。【解決手段】加熱部３、４、８のすべてを、被加熱物を誘導加熱する加熱コイルを含む加熱部とするとともに、火力表示部９は、それぞれの加熱部３、４、８の近傍に対応してトッププレート２上に複数設けたものである。これによって、火力表示部９をそれぞれの加熱部３、４、８の近傍に対応して設けることで、各加熱部３、４、８との関連において火力状態の視認性が向上し、火力変更など個別の操作が容易となり、使いやすい調理器とすることができる。【選択図】図１
2007018786.tif 000002
【特許請求の範囲】
【請求項１】
被加熱物が載置されるトッププレートと、トッププレート上の被加熱物を加熱する複数の加熱部と、被加熱物の加熱状態を表示する火力表示部とを備え、前記複数の加熱部はそのすべてを、被加熱物を誘導加熱する加熱コイルを含む加熱部とするとともに、火力表示部は、それぞれの加熱部の近傍に対応してトッププレート上に複数設けた誘導加熱調理器。
【請求項２】
火力表示部は、加熱部による火力を数値化して表示する構成とした請求項１に記載の誘導加熱調理器。
【請求項３】
それぞれの加熱部を個別に操作できるトッププレート操作部を、各火力表示部と併設した請求項１または２に記載の誘導加熱調理器。
【請求項４】
被加熱物が載置されるトッププレートと、トッププレート上の被加熱物を誘導加熱する加熱部と、加熱部と対応して被加熱物の載置位置を示す発光部とを備え、前記発光部を構成する導光体は、上方と操作側への斜め方向とに発光できる構成とした誘導加熱調理器。
【請求項５】
発光部は加熱部の全周方向に環状に設けた請求項４に記載の誘導加熱調理器。
【発明の詳細な説明】
【技術分野】
【０００１】
本発明は、本発明は、一般家庭やオフィス、レストランなどで使用される誘導加熱調理器に関するものである。
【背景技術】
【０００２】
従来、この種の誘導加熱調理器は、誘導加熱部と、ラジェントヒータを備えた３口タイプがよく知られている（例えば、特許文献１参照）。
【特許文献１】特開２００１−２３７０５６号公報
【発明の開示】
【発明が解決しようとする課題】
【０００３】
しかしながら、前記従来の構成では、操作部や火力表示部が誘導加熱部やラジェントヒータとは別に機器の前面操作部にまとめて配置されている。これは、ラジェントヒータは高温となるため、操作部や火力表示部はその近傍に配置することができないためである。このため、従来の構成では、誘導加熱部やラジェントヒータを含む加熱部との関連において火力状態の視認性が今一つであるという課題があった。
【０００４】
本発明は、前記従来の課題を解決するもので、加熱部との関連において火力状態の視認性を向上させた誘導加熱調理器を提供することを目的とする。
【課題を解決するための手段】
【０００５】
前記従来の課題を解決するために、本発明の誘導加熱調理器は、加熱部のすべてを、被加熱物を誘導加熱する加熱コイルを含む加熱部とするとともに、火力表示部は、それぞれの加熱部の近傍に対応してトッププレート上に複数設けたものである。
【０００６】
これによって、火力表示部をそれぞれの加熱部の近傍に対応して設けることで、各加熱部との関連において火力状態の視認性が向上し、火力変更など個別の操作が容易となり、使いやすい調理器とすることができる。
【発明の効果】
【０００７】
本発明の誘導加熱調理器は、各加熱部との関連において火力状態の視認性が向上し、火力変更など個別の操作が容易となり、使いやすい調理器とすることができる。
【発明を実施するための最良の形態】
【０００８】
第１の発明は、被加熱物が載置されるトッププレートと、トッププレート上の被加熱物を加熱する複数の加熱部と、被加熱物の加熱状態を表示する火力表示部とを備え、前記複数の加熱部はそのすべてを、被加熱物を誘導加熱する加熱コイルを含む加熱部とするとともに、火力表示部は、それぞれの加熱部の近傍に対応してトッププレート上に複数設けた誘導加熱調理器とすることにより、火力表示部をそれぞれの加熱部の近傍に対応して設けることで、各加熱部との関連において火力状態の視認性が向上し、火力変更など個別の操作が容易となり、使いやすい調理器とすることができる。
【０００９】
第２の発明は、特に、第１の発明において、火力表示部は、加熱部による火力を数値化して表示する構成としたことにより、より細かい火力レベルの表示が可能であり、調理に合わせた火力の調整を容易に行うことができる。
【００１０】
第３の発明は、特に、第１または第２の発明において、それぞれの加熱部を個別に操作できるトッププレート操作部を、各火力表示部と併設したことにより、火力状況を見ながら視線を変えることなく操作部の操作ができ、より使いやすい調理器とすることができる。
【００１１】
第４の発明は、被加熱物が載置されるトッププレートと、トッププレート上の被加熱物を誘導加熱する加熱部と、加熱部と対応して被加熱物の載置位置を示す発光部とを備え、前記発光部を構成する導光体は、上方と操作側への斜め方向とに発光できる構成とした誘導加熱調理器としたことにより、加熱部に被加熱物として大きな鍋をおいた場合でも、斜め方向の発光により鍋の載置位置が確認でき、効率的な加熱ができる。
【００１２】
第５の発明は、特に、第４の発明において、発光部は加熱部の全周方向に環状に設けたことにより、ロースタのないアイランドキッチンなどに設置するタイプの誘導加熱調理器で全方向から操作できる場合でも、鍋の載置位置の見やすい表示が行え、より使いやすい調理器とすることができる。
【００１３】
以下、本発明の実施の形態について、図面を参照にしながら説明する。なお、この実施の形態によって本発明が限定されるものではない。
【００１４】
（実施の形態１）
図１は、本発明の実施の形態１における誘導加熱調理器を示すものである。
【００１５】
図に示すように、本実施の形態における誘導加熱調理器は、本体１と、この本体１上に装備され、鍋やフライパンなどの被加熱物が載置される低膨張率でガラス製のトッププレート２と、トッププレート２上の被加熱物を加熱する複数の加熱部３、４、８と、被加熱物の加熱状態（火力レベル）を棒グラフなどで表示する火力表示部９と、本体１の前面に回動自在に設けた本体操作部１０と、本体操作部１０の横で加熱部３の下方に配置したロースタ１１とを備えている。
【００１６】
そして、前記複数の加熱部３、４、８はそのすべてを、被加熱物を誘導加熱する加熱コイル（後述）を含む加熱部とするとともに、火力表示部９は、それぞれの加熱部３、４、８の近傍に対応してトッププレート上に複数設けており、各加熱部３、４、８との関連において火力状態の視認性を向上させ、火力変更など個別の操作を容易としている。
【００１７】
なお、各加熱部３、４、８の最大入力電力は加熱部３、４が２〜３ｋＷ、加熱部８は１．４〜２ｋＷとしている。また、本体操作部１０は、キー操作により各加熱部３、４、８およびロースタ１１の火力調整を行い、その液晶表示部に現状の設定火力やタイマー設定などの設定内容が表示されるものである。さらに湯沸しや炊飯などの自動調理を選定し開始するなどの操作も行えるものである。
【００１８】
上記構成の誘導加熱調理器は、図示していない電源を投入し、本体操作部１０で所定の火力や温度を設定すると、図示していない制御手段からの制御でインバータから加熱コイルに電力を供給する。加熱コイルには誘導磁界が発生し、トッププレート２上の被加熱物が誘導加熱され、内部の調理物が加熱調理されるものである。
【００１９】
この加熱動作中、火力は各加熱部３、４、８に対応してその近傍に設けられた火力表示部９で表示される。具体的にはトッププレート２下面に配置された複数のＬＥＤの発光により現在の火力レベルに応じた表示が棒グラフなどでなされる。ここでＬＥＤは通常は周囲温度が約１００℃以下でなければ使用ができない。本実施の形態の各加熱部３、４、８は、すべて誘導加熱による加熱構成をとっており、ラジェントヒータによる加熱とは異なり周辺が高温となることはない。温度としては自己の損失による発熱のみであるため、内部の冷却ファンで十分に約１００℃以下に保つことができ、各加熱部３、４、８の近傍に火力表示部９が設けられるものである。よって加熱部３、４、８それぞれでその近傍に火力表示がなされ、実際の調理物の様子を観察しながら、視線を大きく変えることなく、火力確認および火力調整ができるため、操作時の煩わしさがなく使いやすい調理器が提供できるものである。
【００２０】
また、例えば、図２のように、各火力表示部９に併設して各トッププレート操作部１２を設けることもできる。このトッププレート操作部１２は電極を裏面に印刷して人が触れたときにその静電容量の変化で反応するようにした静電容量式のスイッチや、トッププレート２を透過する波長域、例えば、９５０ｎｍの赤外ＬＥＤとフォトトランジスタの光学式スイッチを押す箇所にそれぞれ配置した構成や、受光部あるいは発光部の一方が１個で他方がアレイ状に配置されて各々の押す箇所に焦点を合わせた構成としているものである。操作としては、例えば、火力の上げ下げおよび加熱の入切が行えるものとしている。この構成により、鍋の中の沸騰状態やフライパンでの焼け具合を見ながら、現在の火力とその調節のための操作をする際に視線をほとんど変えることなくトッププレート操作部１２の操作が行えるため、さらに使いやすい構成となる。なお、各加熱部３、４、８はその位置が発光部１３で示されている。
【００２１】
以上のように、本実施の形態では、使用者が格段に火力調整など行いやすい調理器を提供できるものである。
【００２２】
（実施の形態２）
図３は、本発明の実施の形態２における誘導加熱調理器を示すものである。
【００２３】
本実施の形態における誘導加熱調理器は、加熱部３、４、８や火力表示部９、トッププレート操作部１２や本体操作部１０の構成は実施の形態１と同じであり、同一構成および作用効果を奏する部分の説明は省略し、それ以外の発光部および加熱コイル構成を中心に説明する。
【００２４】
加熱部３、４、８は、実施の形態１において説明したように、それぞれ加熱コイル１４を含むものである。この加熱コイル１４の周囲には、被加熱物の載置位置を示す、および加熱状態か否かを示す、発光部１３をそれぞれの加熱部３、４、８と対応して設けている。そして、少なくとも一つの加熱部８における発光部１３を構成する導光体１５は、上方と操作側への斜め方向とに発光できる形状構成とした。
【００２５】
なお、図３には一つの加熱部８における発光部１３と加熱コイル１４を示しているが、他の加熱部３、４にも同様に発光部１３と加熱コイル１４が配置されるものであり、これらにおける発光部１３の導光体１５形状は同一としてもよい。ところで、機器の操作側、すなわち機器の前側の加熱部３、４に比べ、後側の加熱部８はスペース上、小さくなり勝ちであり、鍋などを載置した場合、隠れてしまうケースがあるので、この加熱部８において操作側への斜め方向に発光させることは極めて効果的である。また、導光体１５の上方と操作側への斜め方向とに発光できる形状は、導光体１５全体に形成してもよく（図３（ａ））、前側にのみ形成してもよい（図３（ｂ））。さらに、発光部１３は加熱部３、４、８の全周方向に環状に設けたものであるが、環状形態は連続したものであっても断続されたものであってもよく。
【００２６】
上記構成の誘導加熱調理器は、加熱動作中に、加熱部３、４、８と対応して設けている発光部１３が上部方向に向けて点灯し発光する。この発光部１３の構成は、複数個のＬＥＤ（図示せず）から導光板１５を伝播した光が上部方向に略均一に発光し、トッププレート２を通して使用者に知らしめるものである。各加熱部３、４、８は誘導加熱部で構成されているため、近傍にＬＥＤなどを配置できるものである。これにより、使用者は被加熱物の載置位置と載置した鍋が加熱中であるか否かが一目でわかるものである。仮に、被加熱物である鍋に水を追加する場合など、鍋を一旦はずして戻す場合にも載置する位置がわかりやすく中央に置けるため、加熱効率および加熱ムラなども起こりにくく、安定して調理することができるものである。
【００２７】
ここで、少なくとも後側の加熱部８の発光部１３は、図３に示すような構成になっている。すなわち、使用者が操作する側の前方に対しては導光板１５が略４５度の角度で発光できる構成にしているため、上方から見づらい加熱部８での加熱位置および加熱状態が確認しやすい。また加熱部８は炒め物などで鍋を振って調理するには使いづらいため、低火力で長時間煮込むなどの用途に適しており、最大火力も小さい場合が多い。このため加熱コイルも小型ですみ、発光部１３も小さい環状構成にした場合でも、斜め方向への発光が可能であれば、鍋に隠れて発光部１３の状況が確認できないということも回避でき、常に使いやすい調理器とすることができる。
【００２８】
また、中央に誘導加熱調理器を設置するアイランド型のキッチンでは、使用者は全方向より確認できる必要があるため、発光部１３は全方位に上部のみでなく略４５度方向にも発光できるような構成とすることにより、使い勝手がよい。
【００２９】
さらに、各加熱部部３、４、８が誘導加熱によるものであるため、ラジェントヒータなどの直接加熱のように、置かれた位置で鍋に実際に伝わる電力が異なることなく、鍋に入力された火力が直接回路を流れる電流で測定できる。したがって、その火力表示を数値で表示することで（棒グラフなどと併用も可能）、使用者はさらに火力感が認識できるとともに、適当な火力がわかり、いつでもどのような鍋でも再現性の高い調理ができるものである。
【産業上の利用可能性】
【００３０】
以上のように、本発明にかかる誘導加熱調理器は、各加熱部との関連において火力状態の視認性が向上し、火力変更など個別の操作が容易となり、使いやすい調理器とすることができるので、家庭用、業務用にかかわらず適用できる。
【図面の簡単な説明】
【００３１】
【図１】本発明の実施の形態１における誘導加熱調理器を示す斜視図
【図２】同誘導加熱調理器の他の例を示す斜視図
【図３】（ａ）本発明の実施の形態２における誘導加熱調理器のトッププレート、加熱コイルおよび発光部の構成を示す分解斜視図（ｂ）同加熱コイルおよび発光部の断面図
【符号の説明】
【００３２】
１  本体
２  トッププレート
３、４、８  加熱部
９  火力表示部
１０  本体操作部
１２  トッププレート操作部
１３  発光部
１４  加熱コイル
１５  導光体
【図１】
2007018786.tif 000003
【図２】
2007018786.tif 000004
【図３】
2007018786.tif 000005